(57)【要約】【課題】双方向通信インタフェースが接続する電子機器及び再生方法を提供する。【解決手段】実施形態の電子機器は、通知部と、受信部と、表示部と、を具備する。通知部は、コンテンツ供給元が再生して供給するコンテンツの再生開始の指示に応答した起動処理あるいは入力切り替えの完了を前記コンテンツ供給元に通知する。受信部は、前記通知部による通知に応答して、前記コンテンツ供給元が再生する前記コンテンツを受信する。表示部は、前記受信部が受信する前記コンテンツを表示する。【選択図】図１
2012239181.tif 000002
【特許請求の範囲】
【請求項１】
コンテンツ供給元が再生して供給するコンテンツの再生開始の指示に応答した起動処理あるいは入力切り替えの完了を前記コンテンツ供給元に通知する通知部と、
前記通知部による通知に応答して、前記コンテンツ供給元が再生する前記コンテンツを受信する受信部と、
前記受信部が受信する前記コンテンツを表示する表示部と、
を具備する電子機器。
【請求項２】
前記通知部は、前記コンテンツの再生開始直後の一時停止を求める請求項１記載の電子機器。
【請求項３】
前記表示部は、前記コンテンツが再生開始直後の一時停止状態であることを前記通知部が前記通知を通知するまで、少なくとも文字列による表示あるいは表示の点滅により表示する請求項１または２記載の電子機器。
【請求項４】
前記コンテンツ供給元との間の前記通知の通知に、双方向通信インタフェースを用いる請求項１〜３のいずれかに記載の電子機器。
【請求項５】
コンテンツの再生指示を受けつける受信部と、
前記受信部が受けつけた前記再生指示に基づいてコンテンツ供給先に起動処理あるいは入力切り替えを指示する指示部と、
前記指示部からの前記再生指示に基づく前記コンテンツ供給先の起動処理あるいは入力切り替えの完了の通知を受け取り、前記コンテンツを再生する再生部と、
を具備する電子機器。
【請求項６】
前記再生部は、前記再生指示に基づいて再生を開始したコンテンツを、前記通知を受け取るまで、再生開始直後で一時停止する請求項５記載の電子機器。
【請求項７】
前記コンテンツ供給先との間の前記通知の受け取りに、双方向通信インタフェースを用いる請求項５または６記載の電子機器。
【請求項８】
コンテンツ供給元が再生して供給するコンテンツの再生開始の指示に応答した起動処理あるいは入力切り替えの完了を前記コンテンツ供給元に通知し、
起動処理あるいは入力切り替えの完了の通知に応答して、コンテンツ供給元が再生するコンテンツを受信し、
受信したコンテンツを表示する
再生方法。
【請求項９】
コンテンツの再生開始の指示に対して、コンテンツの再生開始直後の一時停止を求める請求項８記載の再生方法。
【請求項１０】
コンテンツ供給元との間の起動処理あるいは入力切り替えの完了の通知の通知に、双方向通信インタフェースを用いる請求項８または９記載の再生方法。
【請求項１１】
コンテンツの再生指示を受けつけ、
受けつけた再生指示に基づいてコンテンツ供給先に、起動処理あるいは入力切り替えを指示し、
起動処理あるいは入力切り替えの完了の通知を受け取り、コンテンツを再生する
再生方法。
【請求項１２】
起動処理あるいは入力切り替えを指示し、その完了の通知を受け取るまで、コンテンツを、再生開始直後で一時停止する請求項１１記載の再生方法。
【請求項１３】
コンテンツ供給先との間の起動処理あるいは入力切り替えの完了の通知の通知に、双方向通信インタフェースを用いる請求項１１または１２記載の再生方法。
【発明の詳細な説明】
【技術分野】
【０００１】
本発明の実施の形態は、双方向通信インタフェースが接続する電子機器及び再生方法に関する。
【背景技術】
【０００２】
録画再生装置と双方向通信インタフェース、例えばＨＤＭＩ（High-definition Digital Media Interface）により接続した映像表示装置においては、録画再生装置から映像の再生開始を指示することで、映像表示装置の電源がオンされ、録画再生装置が再生した映像が表示される。
【先行技術文献】
【特許文献】
【０００３】
【特許文献１】特開２００７−１８９３４６号公報
【発明の概要】
【発明が解決しようとする課題】
【０００４】
録画再生装置は、映像の再生開始が指示されると、映像表示装置が録画再生装置からの映像を再生可能となるまでの時間、例えば入力切り換え等に必要な時間に拘りなく、映像再生を開始する。このことは、映像表示装置が映像を表示した時点で、既に再生映像がある時間、進んでいる「頭欠け」を生じる要因となる。
【０００５】
本発明の目的は、双方向通信インタフェースが接続する電子機器及び再生方法を提供することである。
【課題を解決するための手段】
【０００６】
実施形態の電子機器は、通知部と、受信部と、表示部と、を具備する。通知部は、コンテンツ供給元が再生して供給するコンテンツの再生開始の指示に応答した起動処理あるいは入力切り替えの完了を前記コンテンツ供給元に通知する。受信部は、前記通知部による通知に応答して、前記コンテンツ供給元が再生する前記コンテンツを受信する。表示部は、前記受信部が受信する前記コンテンツを表示する。
【図面の簡単な説明】
【０００７】
【図１】実施形態の構成の一例を示す概略図。
【図２】実施形態の構成の一例における信号の受け渡しの一例を示す概略図。
【図３】実施形態の構成の一例における信号の受け渡しの一例を示す概略図。
【図４】実施形態の構成の一例における信号の受け渡しの一例を示す概略図。
【図５】実施形態の構成の一例における信号の受け渡しの一例を示す概略図。
【図６】実施形態の構成の一例における信号の受け渡しの一例を示す概略図。
【図７】実施形態の構成の一例における信号の受け渡しの一例を示す概略図。
【発明を実施するための形態】
【０００８】
以下、実施の形態について図面を参照して説明する。
【０００９】
図１は、実施形態を適用する録画再生装置とその録画再生装置に接続する映像表示装置の一例を示す。
【００１０】
録画再生装置（レコーダ）１０１は、再生した映像信号を供給する接続対象である映像表示装置（モニタ装置またはディスプレイ）２０１と、双方向通信インタフェース、例えばＨＤＭＩ（High-definition Digital Media Interface）３０１により接続される。なお、ＨＤＭＩ３０１は、後に制定されたＣＥＣ（Consumer Electronics Control）規格に準拠している。また、図１に示す録画再生装置１０１としては、映像（ビデオ）及び音声（オーディオ）を再生するプレーヤ装置やゲーム装置、あるいはビデオカメラ等も含まれる。もちろん、パーソナルコンピュータ（ＰＣ）もしくはＰＣに接続可能なディスクドライブ装置、あるいは自動車等に搭載またはユーザーが携帯することのできるナビゲーション装置であってもよい。また、以下に説明する各要素／構成は、ハードウエアで実現するものであってもよいし、マイクロコンピュータ（処理装置，ＣＰＵ）等を用いてソフトウエアで実現するものであってもよい。
【００１１】
録画再生装置１０１は、ソース（source）機器と、映像表示装置２０１は、ソース機器に対して、シンク（sink）機器と、それぞれ、呼称される。なお、録画再生装置（ソース機器）１０１は、ＨＤＭＩインタフェース部１１１を、映像表示装置（シンク機器）２０１は、ＨＤＭＩインタフェース部２１１を、それぞれ、含む。
【００１２】
ＨＤＭＩ（−ＣＥＣ）３０１は、詳細な説明は省略するが、ＣＥＣ−ラインを含み、相互に接続する機器、すなわちソース機器（レコーダ／録画再生装置）１０１の上述のＨＤＭＩインタフェース部１１１とシンク機器（モニタ装置またはディスプレイ／映像表示装置）２０１の上述のＨＤＭＩインタフェース部２１１とを相互に接続するとともに、相互間の連動機能を提供できる。
【００１３】
ＣＥＣ−ラインを用いた連動機能としては、ユーザーが、例えばソース機器１０１に対してコンテンツ（番組またはプログラム）すなわち映像信号及び音声信号を再生させる操作をした場合に、シンク機器２０１のシステムを立ち上げて、ソース機器１０１が接続されている入力に切り替えを行うワンタッチプレイ（One Touch Play）や、シンク機器２０１側のリモコンの操作により出力される制御コマンドを、ソース機器１０１に伝えるパススルー（Remote Control Pass Through）などがある。なお、パススルーに対応する操作としては、例えば「再生」や「停止／一時停止」、他に「早送り／巻き戻し」などの特殊再生、あるいは光ディスクのセット（装填）などが挙げられる。
【００１４】
従って、シンク機器２０１の電源がオフ状態であっても、ソース機器１０１で、ソース機器１０１が保持するコンテンツ（映像信号及び音声信号）の再生指示、あるいは光ディスクなどのセットがあると、シンク機器２０１の電源がオンされ、再生を指示したコンテンツあるいは光ディスクに収容されているトップメニューまたは最初に再生することが設定されている場面の再生映像がソース機器２０１に表示される。
【００１５】
ワンタッチプレイの動作コマンドシーケンスについて、図２に概略を示す。
【００１６】
ソース機器１０１側でユーザーからワンタッチプレイに対応した操作があった場合［１］、ソース機器１０１からシンク機器２０１に対して＜Ｔｅｘｔ  Ｖｉｅｗ  Ｏｎ＞コマンドを送信し［２］、コンテンツ再生の準備が整いしだい、コンテンツの再生を開始する［３］。
【００１７】
＜Ｔｅｘｔ  Ｖｉｅｗ  Ｏｎ＞を受けたシンク機器２０１側では、電源が入っていない場合、電源オン及び起動処理を実行する［４］。
【００１８】
シンク機器２０１の起動が終了すると［５］、シンク機器２０１において、ＨＰＤ（Hot Plag Detected，ホットプラグ検知）をＨＩにアサート（＜ＨＰＤ  ａｓｓｅｒｔ＞，Ｌ→Ｈ）し、ソース機器１０１にＥＤＩＤ（Extended Display Identification Data）のリード（Read）を促す［６］。
【００１９】
ソース機器１０１は、ＨＰＤのアサートをうけてシンク機器２０１が起動したと判断し、ＥＤＩＤの取得（リード）後［７］、＜Ａｃｔｉｖｅ  Ｓｏｕｒｃｅ＞コマンドをシンク機器２０１に送信する［８］。
【００２０】
＜Ａｃｔｉｖｅ  Ｓｏｕｒｃｅ＞コマンドを受けたシンク機器２０１は、自身の入力を、接続されたＨＤＭＩに切り替え、ＨＤＣＰ（High-bandwidth Digital Content Protection，デジタル著作権管理（ＤＲＭ））の認証を行い、受像した映像の表示及び音声の出力を行う［９］。
【００２１】
パススルーの動作コマンドシーケンスについて、図３に概略を示す。
【００２２】
シンク機器２０１に対し、図３に示したようなユーザーからのパススルーに対応した操作があった場合［１１］、シンク機器２０１は、ソース機器１０１に、対応する操作キーの＜Ｕｓｅｒ  Ｃｏｎｔｒｏｌ  Ｐｒｅｓｓｅｄ＞（ボタン押下／対応操作キーのＰｒｅｓｓ）［１２］及び＜Ｕｓｅｒ  Ｃｏｎｔｒｏｌ  Ｒｅｌｅａｓｅｄ＞（ボタン解除／対応操作キーのＲｅｌｅａｓｅ）［１３］、すなわち「擬似的なリモコン端末の操作」要求（指示）を通知する。なお、ボタン押下（User Control Pressed）［１２］とボタン解除（User Control Pressed Released）［１３］と間の期間が、上述の「擬似的なリモコン端末の操作」に相当する。
【００２３】
ソース機器１０１は、シンク機器２０１から、オフ［１３］を受信した以降、受信した操作に応じた動作を実行する［１４］。
【００２４】
ところで、ソース機器１０１は、図２により説明したワンタッチプレイに基づき、再生準備が整いしだい、コンテンツの再生を開始するため、シンク機器２０１が、ソース機器１０１からの映像信号及び音声信号を受けつけ可能に（自身の）入力を切り替えている間に、ソース機器１０１が再生したコンテンツが入力される場合が少なくない。このことは、「頭欠け」と呼ばれ、極力、ないことが要求される。反面、ソース機器１０１が既に再生可能な状態からのレジューム再生時や、メニュー画面の存在しない音楽ディスクなどからの再生時においては、再生準備時間が不要なため、コンテンツが欠ける時間が長くなる。この場合、ユーザーに、大きな不快感を与えるとともに、例えばリモコン端末（リモートコントローラ）あるいは（図示しない）操作部の操作による『コンテンツ先頭からの再生』を必要とする。
【００２５】
図４に、実施形態の一例を説明する。
【００２６】
ソース機器１０１は、ユーザーからワンタッチプレイに対応した操作があった場合［Ａ］、シンク機器２０１に対して、＜Ｔｅｘｔ  Ｖｉｅｗ  Ｏｎ＞コマンドを送信する［Ｂ］。ソース機器１０１では、同時にコンテンツの再生を開始する［Ｃ］。
【００２７】
＜Ｔｅｘｔ  Ｖｉｅｗ  Ｏｎ＞コマンドを受けたシンク機器２０１は、映像信号および音声信号を出力しているソース機器１０１によるコンテンツの再生を止めるため、パススルーによってソース機器１０１に再生停止を指示し［Ｄ］、起動処理を開始する［Ｈ］。なお、起動処理［Ｈ］は、シンク機器２０１の電源がオフ状態（非オン状態）である場合、詳述しないが、コンセントが抜かれている等の物理的に通電が困難な状況下以外においては、電力消費の比較的大きな要素を除く制御ＣＰＵ部等への２次電源（ＤＣ（直流）３１Ｖあるいは２４Ｖもしくは５Ｖ等）が通常確保されていることを利用したシンク機器２０１の電源オン、を含む。また、パススルー［Ｄ］は、図３に概略を説明したボタン押下［Ｅ］またはボタン解除［Ｆ］、すなわち「擬似的なリモコン端末の操作」要求である。
【００２８】
ソース機器１０１は、シンク機器２０１からのパススルーによる再生停止を受信し、再生準備が整い、再生を開始した直後に、一時停止状態にて待機する［Ｇ］。
【００２９】
ソース機器１０１は、以降、シンク機器２０１からのシンク機器２０１が起動したことの通知であるＨＰＤのアサートを受け取るまで一時停止状態を維持し、アサート［Ｉ］を受け取った以降、シンク機器２０１からＥＤＩＤの取得（リード）後［Ｊ］、＜Ａｃｔｉｖｅ  Ｓｏｕｒｃｅ＞を、シンク機器２０１に対して送信する［Ｋ］。
【００３０】
＜Ａｃｔｉｖｅ  Ｓｏｕｒｃｅ＞コマンドを受けたシンク機器２０１は、自身の入力を、接続されたＨＤＭＩに切り替え、ＨＤＣＰ（High-bandwidth Digital Content Protection，デジタル著作権管理（ＤＲＭ））の認証を行い、受像した映像の表示及び音声の出力を行う［Ｌ］。
【００３１】
以下、シンク機器２０１は、ソース機器１０１からの映像及び音声の受信が可能となった時点で［Ｍ］、ソース機器１０１に再生開示を示すボタン押下［Ｏ］及びボタン解除［Ｐ］、すなわち「擬似的なリモコン端末の操作の解除」を通知する［Ｎ］。
【００３２】
シンク機器２０１からの「擬似的なリモコン端末の操作の解除」の通知を受け取ったソース機器１０１は、一時停止状態を維持したコンテンツの再生を開始する［Ｑ］。なお、シンク機器２０１からのパススルーによる再生停止を受信し、再生準備が整い、再生を開始した直後に、一時停止状態で待機を開始した後（前記［Ｇ］対応）、ソース機器１０１における一時停止が解除され、コンテンツの再生が開始される（［Ｑ］）までの間、ソース機器１０１の詳述しない表示部（例えば、文字列または時計表示が可能なセグメント式もしくはＬＣＤパネル等のマトリクス方式の表示部含み、現在の時間や文字列を表示できる）に、例えば『再生準備中です』等の文字列が表示される。また、「文字列の表示」に変えて、例えば『再生（ＰＬＡＹ）』を示す表示が点滅される等の再生準備中であることを示す表示が表示される。
【００３３】
以上により、ＨＤＭＩ（−ＣＥＣ）３０１により接続したソース機器１０１からシンク機器２０１に、ワンタッチプレイを適用してコンテンツを再生した映像及び音声を送信する際、シンク機器２０１がソース機器１０１からの映像及び音声を受信可能となるまでの間（期間）においてソース機器１０１からの映像及び音声が入力されることに起因して生じる「頭切れ」を、実質的に抑止できる。
【００３４】
図５に、実施形態の別の一例を説明する。
【００３５】
ソース機器１０１は、ユーザーからワンタッチプレイに対応した操作があった場合［ａ］、シンク機器２０１に対して、＜Ｖｅｎｄｅｒ  Ｓｐｅｃ  Ｔｅｘｔ  Ｖｉｅｗ  Ｏｎ＞コマンドを送信する［ｂ］。なお、＜Ｖｅｎｄｅｒ  Ｓｐｅｃ  Ｔｅｘｔ  Ｖｉｅｗ  Ｏｎ＞コマンドは、ソース機器１０１がコンテンツの再生のための準備を開始するがシンク機器２０１からのパススルーを利用した後段に説明する＜Ｕｓｅｒ  Ｃｏｎｔｒｏｌ  Ｐｒｅｓｓ（ボタン押下）＞コマンド［ｊ］及び後段に説明する＜Ｕｓｅｒ  Ｃｏｎｔｒｏｌ  Ｒｅｌｅａｓｅ（ボタン解除）＞コマンド［ｋ］、すなわち後段に示す「擬似的なリモコン端末の操作の解除」コマンド［ｍ］を受け取るまでの間、再生準備が完了した時点（もしくは再生準備が完了する直前）で一時停止状態を保持することを示すコマンドである。すなわち、ソース機器１０１は、＜Ｖｅｎｄｅｒ  Ｓｐｅｃ  Ｔｅｘｔ  Ｖｉｅｗ  Ｏｎ＞コマンドをシンク機器２０１に送信した後、シンク機器２０１から＜Ｕｓｅｒ  Ｃｏｎｔｒｏｌ  Ｒｅｌｅａｓｅ（ボタン解除）＞［ｋ］を受け取るまでの間、再生準備が完了した時点で一時停止状態で待機する［ｃ］。
【００３６】
シンク機器２０１は、電源がオフ状態（非オン状態）である場合、詳述しないが、通常、電力消費の比較的大きな要素を除く制御ＣＰＵ部等への２次電源（ＤＣ（直流）３１Ｖあるいは２４Ｖもしくは５Ｖ等）が通常確保されていることを利用したシンク機器２０１の電源をオンし、起動処理を行う［ｄ］。
【００３７】
起動処理［ｄ］が終了した時点で、シンク機器２０１は、ソース機器１０１に対し、ＨＰＤのアサートを送信する［ｅ］。
【００３８】
ソース機器１０１は、ＨＰＤのアサート［ｅ］を受け取った以降、ＥＤＩＤを取得し、表示＞を送信し［ｆ］、引き続く＜Ａｃｔｉｖｅ  Ｓｏｕｒｃｅ＞コマンドにより、シンク機器２０１に、映像表示装置の表示を、自身が接続されている入力端子に切り替えを要求する［ｇ］。
【００３９】
シンク機器２０１は、ソース機器１０１からの＜Ａｃｔｉｖｅ  Ｓｏｕｒｃｅ＞コマンドに従い、入力を、ソース機器１０１に切り替える［ｈ］。
【００４０】
以下、シンク機器２０１は、ＨＤＣＰの認証や入力の切り替えが完了し、ソース機器１０１からの映像及び音声の受信が可能となった時点で［ｉ］、ソース機器１０１に再生開示を示すボタン押下［ｊ］及びボタン解除［ｋ］、すなわち「擬似的なリモコン端末の操作の解除」を通知する［ｌ］。
【００４１】
シンク機器２０１からの「擬似的なリモコン端末の操作の解除」の通知を受け取ったソース機器１０１は、一時停止状態を維持したコンテンツの再生を開始する［ｍ］。
【００４２】
このように（図５に示したように）、＜＜Ｖｅｎｄｅｒ  Ｓｐｅｃｉｆｉｃａｔｉｏｎ＞＞コマンドを用いて（Ｔｅｘｔ  Ｖｉｅｗ  Ｏｎ）コマンドを＜Ｖｅｎｄｅｒ  Ｓｐｅｃ  Ｔｅｘｔ  Ｖｉｅｗ  Ｏｎ＞コマンドと定義することで、シンク機器の電源がオフである場合にシンク機器の起動処理を優先することで、より完全な［頭切れ］防止が可能となる。
【００４３】
なお、＜＜Ｖｅｎｄｅｒ  Ｓｐｅｃｉｆｉｃａｔｉｏｎ＞＞を用いた場合、ソース機器が再生準備中であって、パススルーによる一時停止（要求）に対応できない場合や、コンテンツ開始直後のクレジット画面など、ユーザー操作が禁止されているために、一時停止できない場合にも、対応可能となる。
【００４４】
なお、図６に、図１に示した録画再生装置（ソース機器）に利用可能なレコーダの構成の一例を示す。
【００４５】
レコーダ）６０１は、チューナ６０２、入力回路６０３、ＤＳＰ（デジタルシグナルプロセッサ）６０４、記録装置６０５、出力回路６０６、ユーザー操作入力部（リモコン信号受信回路）６０７、電源部６０８、及びＨＤＭＩインタフェース６０９（図１に示した１１１に相当）を少なくとも含む。
【００４６】
チューナ６０２は、アンテナ端子６２１に接続されるアンテナまたは光ケーブル等を介して、録画対象の番組を放送するチャンネルを選局する。
【００４７】
入力端子６０３は、ビデオ（video）入力端６３１およびオーディオ（audio）入力端６３２を経由して入力されるビデオ（動画）信号およびオーディオ（音声）信号を、受けつける。
【００４８】
ＤＳＰ６０４は、主制御装置（ＣＰＵ）６４０、ネットワークコントローラ６４１、アナログ−デジタルコンバータ（ＡＤＣ）６４２、エンコーダ６４３、インタフェース６４４、デコーダ６４５、ユーザインタフェースグラフィック処理部（ＧＵＩ処理部）６４６、ビデオエンコーダ（ビデオ出力処理部）６４７、デジタル−アナログコンバータ（オーディオデコーダ（ＤＡＣ））６４８、ＥＰＧ（Electric Program Guide）処理部６４９等の要素を、少なくとも含む。なお、インタフェース６４４に、上述のＨＤＭＩ６０９が接続されるが、ＨＤＭＩ６０９は、ネットワークコントローラ６４１に接続されてもよい。
【００４９】
主制御装置（ＣＰＵ）６４０は、上述した各要素の動作、および電源部６０８の主電源（内部制御用２次回路を除く）のオン／オフを制御する。
【００５０】
ネットワークコントローラ６４１は、ＬＡＮ端子６９１を経由して、外部ネットワークから供給されるストリーム形式の番組を受信する。なお、ＬＡＮ端子６９１は、例えば同一建物内に構築される比較的小規模のネットワーク（家庭内ＬＡＮ（Local Area Network））もしくはホームサーバ（Home Saver，大容量記録装置）および接続網と接続され、例えばホームサーバを介して、外部ネットワークと接続されることもある。また、家庭内ＬＡＮあるいはネットワークは、ＤＬＮＡ（Digital Living Network Alliance（登録商標））規格に準拠することが好ましい。
【００５１】
アナログ−デジタルコンバータ（ＡＤＣ）６４２、アナログ入力されたビデオ信号およびオーディオ信号をデジタル信号に変換し、エンコーダ６４３に入力する。なお、チューナ６０２がデジタル放送を受信する場合には、チューナ６０２の出力は、そのままエンコーダ６４３に入力されることはいうまでもない。
【００５２】
エンコーダ６４３は、入力されたアナログ信号（ビデオ／オーディオ）をデジタル信号に変換（エンコード）する。なお、例えばＭＰＥＧ（Moving Picture Experts Group）−２あるいはＭＰＥＧ−４（Ｈ．２６４−ＡＶＣ））等に準拠した圧縮を伴う。
【００５３】
インタフェース６４４は、記録装置５との間のデータの受け渡し、あるいはリモコン信号受光回路６０７からの制御信号の入力に利用される。ＨＤＭＩ６０９には、ＨＤＭＩ端子６８１を介して、例えば図７に一例を示すテレビ受信装置（映像再生装置）７０１あるいは図示しないＡＶアンプ、もしくはハブが接続される。なお、ＡＶアンプには、図示しないが、例えばＤＶＤレコーダやＤＶＤプレーヤ等が接続される。また、ハブには、例えばＨＤＭＩ端子を備えたＡＶアンプや、ＰＣ、ＨＤＤ内臓のＤＶＤレコーダ、ＤＶＤプレーヤ等の外部機器が接続可能である。なお、ＨＤＭＩ端子６８１がハブと接続される場合には、例えばブロードバンドルータを介して、例えばインターネット等のネットワークとの接続や、ネットワーク上に位置するＰＣや図示しない携帯電話または携帯端末装置、もしくは携帯端末との間の動画ファイル（映像データ）やオーディオファイル（音声データ）の読み込みおよび再生ならびに書き込み（記録）等も可能である。
【００５４】
デコーダ６４５は、ＭＰＥＧ−２あるいはＭＰＥＧ−４（Ｈ．２６４−ＡＶＣ））等に圧縮された番組を、デコードする。
【００５５】
ユーザインタフェースグラフィック処理部（ＧＵＩ処理部）６４６は、出力回路６０６を経由して映像出力端６６１とオーディオ出力端６６２に接続されるモニタ装置６６３に表示させるＧＵＩ（グラフィックインタフェース）画面表示を出力する。
【００５６】
ビデオエンコーダ（ビデオ出力処理部）６４７は、映像信号とＧＵＩ処理部６４６から出力されるＧＵＩ画面表示を必要に応じ合成し、映像出力端６６１に接続されるモニタ装置６６３が表示可能に、出力回路６０６に、出力映像信号を生成する。
【００５７】
デジタル−アナログコンバータ（オーディオデコーダ（ＤＡＣ））６４８は、出力回路６０６に、オーディオ出力端６６２に接続される外部スピーカ等が再生可能に、オーディオ信号を出力する。
【００５８】
ＥＰＧ処理部６４９は、例えばＢＳデジタル放送または地上デジタル放送において番組とともに送信されるＥＰＧデータもしくはＬＡＮ端子６９１を経由して外部から取得可能なＥＰＧデータを取得し、例えばＧＵＩ処理部６４６において番組の予約時に番組表を表示させるための日付、時間、チャンネル、番組長データとして保持する。なお、取得したＥＰＧデータは、図示しないメモリ装置あるいはＨＤＤ６５１の所定の領域に保存される。
【００５９】
記録装置６０５は、例えばＨＤＤ６５１またはディスクドライブ装置６５２を含み、ＨＤＤ６５１内のＨＤあるいはディスクドライブ装置６５２にセットされるＤＶＤ規格の光ディスクＤに対して番組を記録し、もしくは既に記録されている番組を再生する。なお、ディスクドライブ装置６５２に加え、例えば半導体メモリ（メモリカード）等に番組を記録し、あるいは既に記録されている番組を再生するリーダ／ライタ（図示しない）が用意されてもよい。
【００６０】
出力回路６０６は、映像出力端６６１およびオーディオ出力端６６２に接続される再生装置、例えばモニタ装置とスピーカ装置に、ビデオエンコーダ６４７からの映像信号とＤＡＣ６４８からのオーディオ信号を出力する。
【００６１】
リモコン信号受光回路６０７は、リモコン受光部６７１において受け付けたユーザー操作入力を、インタフェース６４４を経由して、主制御装置６４０に入力する。
【００６２】
電源部６０８は、主制御装置６４０の制御により主電源がオフ可能であり、図示しないタイマ部にセットされた予約時間が到来した時点で主電源をオンし、上述した各要素の動作を、動作可能状態に維持する。
【００６３】
また、図７に、図１に示した映像表示装置（シンク機器）に利用可能なテレビ受信装置の構成の一例を示す。
【００６４】
テレビ受信装置７１１は、映像信号（ビデオデータ）に対応する映像を表示する映像表示器７１３、例えばスピーカ等に代表される音声再生装置であって、音声出力（オーディオデータ）を再生する音声再生器７１５、ユーザーからの制御指示（制御入力）信号を受け入れる操作部７１７、ユーザーからのリモコン装置Ｒによる操作情報（制御入力）信号を受けつけるリモコン受信部７１９、および制御ブロック（制御部）７６０等を含む。なお、映像表示器（ディスプレイ装置）７１３は、例えば液晶パネル装置であって、付属する照明装置７２５からの照明光（バックライト）を選択的に透過することにより、映像を表示する。また、照明装置７２５は、点灯回路７２７により、周囲の明るさや、連続して点灯されている時間と非点灯時間との差すなわち照明装置７２５の温度に基づいて規定される所定の駆動電圧で点灯される。
【００６５】
制御部７６０は、ＣＰＵまたはＭＰＵ（Main Processing Unit）とよばれる主制御装置（主制御用大規模ＩＣ（ＬＳＩ））７６１を、含む。
【００６６】
制御部７６０（主制御装置７６１）は、操作部７１７からの操作入力、またはリモコン装置Ｒから送出された操作情報を受信部７１９により受信した（リモコン入力）制御信号、もしくはネットワーク接続部（通信インタフェース）７７３を介して外部から供給される情報およびデータに対応して、以下に説明する各部（要素）を、制御する。
【００６７】
制御部７６０はまた、主制御装置７６１が実行する制御プログラムを保持したＲＯＭ（Read Only Memory）７６２、主制御装置７６１の作業エリアを提供するＲＡＭ（Random Access Memory）７６３、各種の設定情報や制御情報あるいはネットワーク接続部７７３を介して外部から供給される情報および録画予約情報などのデータ等を保持する不揮発性メモリ（Non Volatility Memory，ＮＶＭ）７６４、およびＨＤＤ７６５を、含む。
【００６８】
なお、ＮＶＭ７６４は、ネットワーク接続部７７３を経由して取り込まれ、制御部７６０を経由してメッセージや解読されたスケジュール情報等も保持する。
【００６９】
制御部７６０には、半導体メモリであるカード状媒体（メモリカード）Ｍからの情報の読み出しとメモリカードＭへの情報の書き込みを可能とするカード＿ＩＦ７７１、ネットワーク接続部（通信＿ＩＦ）７７３、ＨＤＭＩ７７４（図１の２１１に相当）、光ディスクＤからの情報すなわち動画データやオーディオ（音声）データの読み出しと光ディスクへの情報の書き込みに用いられるディスクドライブ装置７７５、ＵＳＢ＿Ｉ／Ｆ、およびｉ．Ｌｉｎｋ＿Ｉ／Ｆ（インタフェース）７７７等の任意数のＩ／Ｆ（Interface，インタフェース）群が接続され、それぞれのインタフェースに適合する外部装置、あるいはハブ（拡張装置）もしくはネットワーク制御装置として機能する。
【００７０】
カード＿Ｉ／Ｆ７７１は、カードホルダ７７２に装着されるメモリカードＭから、映像および音声ファイルを読み込むことができ、また、メモリカードＭに、映像および音声ファイルを書き込むことができる。
【００７１】
通信＿Ｉ／Ｆ７７３は、ＬＡＮ端子（ポート）７８１と接続され、イーサネット（登録商標）規格に従い、外部装置、例えば図示しないが携帯端末装置やモバイルＰＣを介して、あるいはリモコン装置から供給される制御情報や動画データを受け入れる。なお、通信＿Ｉ／Ｆ７７３は、ＬＡＮ対応のハブ（Hub）が接続されることで、ＬＡＮ対応のＨＤＤ（ＮＡＳ（Network Attached Storage）ＨＤＤ）、ＰＣ、ＨＤＤ内臓のＤＶＤレコーダ等の機器の接続が可能である。
【００７２】
ＨＤＭＩ７７４には、ＨＤＭＩ端子７８２を介して、例えば図６に一例を示したレコーダ（映像再生装置）２０１あるいは図示しないＡＶアンプ、もしくはハブが接続される。なお、ＡＶアンプには、図示しないが、例えばＤＶＤレコーダやＤＶＤプレーヤ等が接続される。また、ハブには、例えばＨＤＭＩ端子を備えたＡＶアンプや、ＰＣ、ＨＤＤ内臓のＤＶＤレコーダ、ＤＶＤプレーヤ等の外部機器が接続可能である。なお、ＨＤＭＩ端子７８２がハブと接続される場合には、例えばブロードバンドルータを介して、例えばインターネット等のネットワークとの接続や、ネットワーク上に位置するＰＣや図示しない携帯電話または携帯端末装置、もしくは携帯端末との間の動画ファイル（映像データ）やオーディオファイル（音声データ）の読み込みおよび再生ならびに書き込み（記録）等も可能である。
【００７３】
ディスクドライブ装置７７５は、例えばＤＶＤ規格の光ディスクＭから情報すなわち動画データやオーディオ（音声）データを読み出し、もしくは記録する。また、セットされた光ディスクがＣＤ規格である場合には、オーディオ（音声）データを読み出し、再生するとともに、例えば曲名や演奏時間等を、映像表示器７１３に表示可能に出力する。
【００７４】
ＵＳＢ＿Ｉ／Ｆ７７６は、ＵＳＢポート７８４に接続される図示しないハブを介して、ＵＳＢ＿Ｉ／Ｆを介してアクセス可能に形成されたＨＤＤ、キーボード等が接続可能であり、それぞれのＵＳＢ機器との間で情報の受け渡しが可能である。なお、ＵＳＢ＿Ｉ／Ｆ７７６に対応する携帯電話、デジタルカメラ、メモリカードに対するカードリーダ／ライタも接続可能であることはいうまでもない。
【００７５】
ｉ．Ｌｉｎｋ＿Ｉ／Ｆ７７７は、図示しないが、例えばＡＶ（オーディオ−ビジュアル）−ＨＤＤあるいはＤ（Digital）−ＶＨＳ（Video Home System）等の外部機器、もしくは、外付けのチューナあるいはＳＴＰ（Set Top Box（ケーブルテレビ用受信機））等がシリアル接続可能であり、接続される任意の機器との間で、情報の受け渡しが可能である。
【００７６】
なお、詳述しないが、個々のインタフェースに加えて、もしくは任意の１または複数のインタフェースに代えて、例えばＤＬＮＡ（Digital Living Network Alliance（登録商標））規格等に準拠したネットワークコントローラや、図示しないBluetooth（登録商標）／（ブルートゥース（登録商標））が用意され、それらを経由して、データの受け渡しが可能なレコーダ装置やＨＤＤ装置、もしくは携帯可能な端末装置が接続されてもよいことはいうまでもない。
【００７７】
制御部７６０は、タイマーコントローラ（時計部）７９０を含む。時計部９０は、時刻や、ユーザーからの入力により設定される予約録画のための予約時刻（日時）と録画対象チャンネル等の情報を管理するとともに、その情報を保持可能である。なお、時計部７９０は、地上波デジタルチューナ７５０を介して受信するデジタル放送におけるＴＯＴ（Time Offset Table）と呼ばれる「時刻情報」を、常時取得できる。すなわち、電波時計を内蔵している機器と同等の時刻管理が可能である。また、地上波アナログチューナ７５２により受信するアナログアナログ放送の所定のチャンネルからも、毎日、所定の時間に時報を取得可能であることはいうまでもない。また、時計部７９０は、携帯端末装置から供給されるスケジューラ機能やメッセンジャ機能のための情報に対する計時部としても機能する。なお、時計部７９０は、スケジューラ機能およびメッセンジャ機能により規定される所定の時刻において、電源部７９１による、商用電源に対する電源のオン／オフ（通電）を制御できることはいうまでもない。すなわち、コンセントが抜かれている等の物理的に通電が困難な状況下以外においては、映像表示器７１３や信号処理部７４７あるいはＨＤＤ等の電力消費の比較的大きな要素を除く、制御部７６０等への２次電源（ＤＣ（直流）３１Ｖ、あるいは２４Ｖもしくは５Ｖ等）は、通常確保されており、予め規定された時刻に映像表示器７１３や信号処理部７４７あるいはＨＤＤ７６５等が起動されることは、いうまでもない。
【００７８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００７９】
１０１…録画再生装置（レコーダ装置／ソース機器）、１１１…双方向通信インタフェース（ＨＤＭＩ部）、２０１…映像表示装置（モニタ装置またはディスプレイ／シンク機器）、２１１…双方向通信インタフェース（ＨＤＭＩ部）、３０１…ＨＤＭＩ−ＣＥＣ（双方向通信インタフェース）、６０１…録画再生装置（レコーダ装置／ソース機器）、６０９…双方向通信インタフェース（ＨＤＭＩ部）、７０１…映像表示装置（テレビ受信装置／シンク機器）、７７４…双方向通信インタフェース（ＨＤＭＩ部）。
【図１】
2012239181.tif 000003
【図２】
2012239181.tif 000004
【図３】
2012239181.tif 000005
【図４】
2012239181.tif 000006
【図５】
2012239181.tif 000007
【図６】
2012239181.tif 000008
【図７】
2012239181.tif 000009